(57)【要約】【課題】バックアップ時におけるトラブルの発生を防止するとともに、実行が抑制されるジョブの実行を速やかに行って生産性を高める。【解決手段】ＨＤＤ１１８は各種情報を記憶する。そして、制御部１１１は、ジョブを受け付け、該受け付けたジョブを実行する。そして、制御部１１１は、ＨＤＤ１１８に記憶されている情報を外部記憶装置４０又はＰＣ３０に記憶させるバックアップを行う。そして、制御部１１１は、バックアップの実行中にジョブを受け付けたとき、ジョブの実行を留保し、バックアップの終了後に留保したジョブを実行する制御を行う。【選択図】図２
2011197495.tif 000002
【特許請求の範囲】
【請求項１】
各種情報を記憶する記憶部と、
ジョブを受け付け、該受け付けたジョブを実行し、前記記憶部に記憶されている情報を外部記憶装置に記憶させるバックアップを行う制御部と、
を備え、
前記制御部は、前記バックアップの実行中に前記ジョブを受け付けたとき、該ジョブの実行を留保し、前記バックアップの終了後に留保したジョブを実行する制御を行うことを特徴とする画像形成装置。
【請求項２】
用紙に画像を形成する画像形成部を備え、
前記制御部は、前記バックアップの実行中に、前記画像形成部によって用紙に画像を形成するジョブを受け付けたときに、該ジョブの実行を留保することを特徴とする請求項１に記載の画像形成装置。
【請求項３】
前記制御部は、前記ジョブの実行が留保されたときに、その旨の情報を出力することを特徴とする請求項１又は２に記載の画像形成装置。
【請求項４】
原稿画像を読み取る画像読取部を備え、
前記制御部は、前記画像読取部によって読み取った原稿画像を所定のファイルデータに変換するスキャンジョブを実行し、前記バックアップの実行中に前記スキャンジョブを受け付けたとき、該スキャンジョブを留保することなく実行することを特徴とする請求項１〜３の何れかに記載の画像形成装置。
【請求項５】
前記制御部は、受け付けたジョブのジョブデータを、前記記憶部に記憶する情報として前記記憶部への保存を行い、所定のアクセス要求に応じて前記保存されたジョブデータへのアクセスを可能とし、前記バックアップの実行中は、該バックアップの対象であるジョブデータへのアクセスを禁止することを特徴とする請求項１〜４の何れか一項に記載の画像形成装置。
【請求項６】
前記制御部は、前記記憶部に記憶された情報からバックアップの対象とする情報を選択可能とし、該選択した情報を前記外部記憶装置に記憶させ、前記バックアップの実行中において、前記保存されたジョブデータのうち、バックアップの対象として選択されなかったジョブデータへのアクセスを許可することを特徴とする請求項５に記載の画像形成装置。
【請求項７】
所定温度にするためのウォームアップを必要とし、用紙に対して所定の処理を施す処理装置を備え、
前記制御部は、前記処理装置を機能させる稼動状態から機能を停止させる機能停止状態に移行させる制御を行い、前記バックアップ中でかつ前記処理装置が前記機能停止状態であって、前記ジョブの実行が留保されているときに、ウォームアップの要否を判定し、ウォームアップが必要と判定したときには、前記処理装置のウォームアップを開始させることを特徴とする請求項１〜６の何れか一項に記載の画像形成装置。
【請求項８】
前記制御部は、前記処理装置のウォームアップが完了するまでのウォームアップ完了時間と、前記バックアップが完了するまでのバックアップ完了時間を算出し、前記バックアップ完了時間と前記ウォームアップ完了時間との差に基づいてウォームアップの要否を判定することを特徴とする請求項７に記載の画像形成装置。
【請求項９】
前記制御部は、前記バックアップ中でかつ前記処理装置が前記稼動状態であって、前記ジョブの実行が留保されているときに、前記バックアップ完了時間と前記ウォームアップ完了時間との差を判定し、前記ウォームアップ完了時間よりもバックアップ完了時間の方が長いと判定したときは、前記処理装置を前記稼動状態から前記機能停止状態に移行させ、前記ウォームアップ完了時間よりもバックアップ完了時間の方が短いと判定したときは、前記処理装置を前記バックアップが完了するまで前記稼動状態を維持することを特徴とする請求項８に記載の画像形成装置。
【請求項１０】
所定温度にするためのウォームアップを必要とし、用紙に対して所定の処理を施す処理装置を備え、
前記制御部は、前記処理装置を機能させる稼動状態から機能を停止させる機能停止状態に移行させる制御を行い、バックアップ中でかつ前記処理装置が前記稼動状態であって、前記ジョブの実行が留保されているときに、前記処理装置のウォームアップが完了するまでのウォームアップ完了時間と、前記バックアップが完了するまでのバックアップ完了時間とを算出し、該算出した前記バックアップ完了時間と前記ウォームアップ完了時間との差を判定し、前記ウォームアップ完了時間よりもバックアップ完了時間の方が長いと判定したときは、前記処理装置を前記稼動状態から前記機能停止状態に移行させ、前記ウォームアップ完了時間よりもバックアップ完了時間の方が短いと判定したときは、前記処理装置を前記バックアップが完了するまで前記稼動状態を維持することを特徴とする請求項１〜６の何れか一項に記載の画像形成装置。
【請求項１１】
前記制御部は、所定のバックアップ開始要求に応じて前記バックアップを開始し、ジョブの実行中において、前記バックアップの開始の要求を受け付けたとき、前記実行中のジョブが予め定められたバックアップ開始不可能ジョブであるか否かを判定し、該判定したジョブがバックアップ開始不可能ジョブであるときは、バックアップを開始せず、判定したジョブがバックアップ開始不可能ジョブでないときは、前記実行中のジョブに並行して前記バックアップを開始することを特徴とする請求項１〜１０の何れか一項に記載の画像形成装置。
【請求項１２】
前記制御部は、実行中のジョブがバックアップ開始不可能ジョブであるか否かの判定結果、バックアップ開始不可能ジョブであると判定したときは、該実行中のジョブが完了した後に前記バックアップを開始することを特徴とする請求項１１に記載の画像形成装置。
【請求項１３】
前記制御部は、前記実行中のジョブが完了した後、制御状態を所定の待機状態に移行し、前記待機状態において前記バックアップを行うことを特徴とする請求項１１又は１２に記載の画像形成装置。 
【発明の詳細な説明】
【技術分野】
【０００１】
本発明は、画像形成装置に関する。
【背景技術】
【０００２】
従来の画像形成装置においては、画像形成装置を新規に設置する場合、あるいは、異常動作後に画像形成装置を復帰させる場合等に、画像形成装置を元の設定（例えば、レジスト値や印刷枚数のカウンタ値等）に復元するため、画像形成装置内の不揮発メモリに記憶されている記録情報を外部の記憶装置に転送してバックアップすることが行われている。
【０００３】
また、従来の画像形成装置においては、ジョブの予約を受け付け、予約時刻になったときに、スリープ状態である各種装置を起動させてジョブを実行させるようにしたものがある（特許文献１）。
【先行技術文献】
【特許文献】
【０００４】
【特許文献１】特開２００７−２８１９８２号公報
【発明の概要】
【発明が解決しようとする課題】
【０００５】
ところで、バックアップが行われている間は、不揮発メモリからの読み出しに影響し、画像形成動作にトラブルが生じる可能性があることから、画像形成動作にかかるジョブの実行を制限する必要がある。しかしながら、特許文献１に記載の技術では、例えば、予約時刻にバックアップが行われることとなった場合には、ジョブを実行させることができないため、ジョブをキャンセルせざるを得なくなり、バックアップの終了を確認した後に再度ジョブの設定を行う必要が生じ、それだけジョブの実行が遅れ、生産性の低下を招くこととなる。
【０００６】
本発明の課題は、バックアップ時におけるトラブルの発生を防止するとともに、実行が抑制されるジョブの実行を速やかに行って生産性を高めることができる画像形成装置を提供することである。
【課題を解決するための手段】
【０００７】
以上の課題を解決するため、請求項１に記載の発明は、画像形成装置において、
各種情報を記憶する記憶部と、
ジョブを受け付け、該受け付けたジョブを実行し、前記記憶部に記憶されている情報を外部記憶装置に記憶させるバックアップを行う制御部と、
を備え、
前記制御部は、前記バックアップの実行中に前記ジョブを受け付けたとき、該ジョブの実行を留保し、前記バックアップの終了後に留保したジョブを実行する制御を行うことを特徴とする。
【０００８】
請求項２に記載の発明は、請求項１に記載の画像形成装置において、
用紙に画像を形成する画像形成部を備え、
前記制御部は、前記バックアップの実行中に、前記画像形成部によって用紙に画像を形成するジョブを受け付けたときに、該ジョブの実行を留保することを特徴とする。
【０００９】
請求項３に記載の発明は、請求項１又は２に記載の画像形成装置において、
前記制御部は、前記ジョブの実行が留保されたときに、その旨の情報を出力することを特徴とする。
【００１０】
請求項４に記載の発明は、請求項１〜３の何れかに記載の画像形成装置において、
原稿画像を読み取る画像読取部を備え、
前記制御部は、前記画像読取部によって読み取った原稿画像を所定のファイルデータに変換するスキャンジョブを実行し、前記バックアップの実行中に前記スキャンジョブを受け付けたとき、該スキャンジョブを留保することなく実行することを特徴とする。
【００１１】
請求項５に記載の発明は、請求項１〜４の何れか一項に記載の画像形成装置において、
前記制御部は、受け付けたジョブのジョブデータを、前記記憶部に記憶する情報として前記記憶部への保存を行い、所定のアクセス要求に応じて前記保存されたジョブデータへのアクセスを可能とし、前記バックアップの実行中は、該バックアップの対象であるジョブデータへのアクセスを禁止することを特徴とする。
【００１２】
請求項６に記載の発明は、請求項５に記載の画像形成装置において、
前記制御部は、前記記憶部に記憶された情報からバックアップの対象とする情報を選択可能とし、該選択した情報を前記外部記憶装置に記憶させ、前記バックアップの実行中において、前記保存されたジョブデータのうち、バックアップの対象として選択されなかったジョブデータへのアクセスを許可することを特徴とする。
【００１３】
請求項７に記載の発明は、請求項１〜６の何れか一項に記載の画像形成装置において、
所定温度にするためのウォームアップを必要とし、用紙に対して所定の処理を施す処理装置を備え、
前記制御部は、前記処理装置を機能させる稼動状態から機能を停止させる機能停止状態に移行させる制御を行い、前記バックアップ中でかつ前記処理装置が前記機能停止状態であって、前記ジョブの実行が留保されているときに、ウォームアップの要否を判定し、ウォームアップが必要と判定したときには、前記処理装置のウォームアップを開始させることを特徴とする。
【００１４】
請求項８に記載の発明は、請求項７に記載の画像形成装置において、
前記制御部は、前記処理装置のウォームアップが完了するまでのウォームアップ完了時間と、前記バックアップが完了するまでのバックアップ完了時間を算出し、前記バックアップ完了時間と前記ウォームアップ完了時間との差に基づいてウォームアップの要否を判定することを特徴とする。
【００１５】
請求項９に記載の発明は、請求項８に記載の画像形成装置において、
前記制御部は、前記バックアップ中でかつ前記処理装置が前記稼動状態であって、前記ジョブの実行が留保されているときに、前記バックアップ完了時間と前記ウォームアップ完了時間との差を判定し、前記ウォームアップ完了時間よりもバックアップ完了時間の方が長いと判定したときは、前記処理装置を前記稼動状態から前記機能停止状態に移行させ、前記ウォームアップ完了時間よりもバックアップ完了時間の方が短いと判定したときは、前記処理装置を前記バックアップが完了するまで前記稼動状態を維持することを特徴とする。
【００１６】
請求項１０に記載の発明は、請求項１〜６の何れか一項に記載の画像形成装置において、
所定温度にするためのウォームアップを必要とし、用紙に対して所定の処理を施す処理装置を備え、
前記制御部は、前記処理装置を機能させる稼動状態から機能を停止させる機能停止状態に移行させる制御を行い、バックアップ中でかつ前記処理装置が前記稼動状態であって、前記ジョブの実行が留保されているときに、前記処理装置のウォームアップが完了するまでのウォームアップ完了時間と、前記バックアップが完了するまでのバックアップ完了時間とを算出し、該算出した前記バックアップ完了時間と前記ウォームアップ完了時間との差を判定し、前記ウォームアップ完了時間よりもバックアップ完了時間の方が長いと判定したときは、前記処理装置を前記稼動状態から前記機能停止状態に移行させ、前記ウォームアップ完了時間よりもバックアップ完了時間の方が短いと判定したときは、前記処理装置を前記バックアップが完了するまで前記稼動状態を維持することを特徴とする。
【００１７】
請求項１１に記載の発明は、請求項１〜１０の何れか一項に記載の画像形成装置において、
前記制御部は、所定のバックアップ開始要求に応じて前記バックアップを開始し、ジョブの実行中において、前記バックアップの開始の要求を受け付けたとき、前記実行中のジョブが予め定められたバックアップ開始不可能ジョブであるか否かを判定し、該判定したジョブがバックアップ開始不可能ジョブであるときは、バックアップを開始せず、判定したジョブがバックアップ開始不可能ジョブでないときは、前記実行中のジョブに並行して前記バックアップを開始することを特徴とする。
【００１８】
請求項１２に記載の発明は、請求項１１に記載の画像形成装置において、
前記制御部は、実行中のジョブがバックアップ開始不可能ジョブであるか否かの判定結果、バックアップ開始不可能ジョブであると判定したときは、該実行中のジョブが完了した後に前記バックアップを開始することを特徴とする。
【００１９】
請求項１３に記載の発明は、請求項１１又は１２に記載の画像形成装置において、
前記制御部は、前記実行中のジョブが完了した後、制御状態を所定の待機状態に移行し、前記待機状態において前記バックアップを行うことを特徴とする。
【発明の効果】
【００２０】
本発明によれば、バックアップ時におけるトラブルの発生を防止するとともに、実行が抑制されるジョブの実行を速やかに行って生産性を高めることができる。
【図面の簡単な説明】
【００２１】
【図１】本実施の形態におけるメンテナンスシステムのシステム構成を示す図である。
【図２】画像形成装置の内部構成を示す図である。
【図３】画像形成装置の状態を示すモードと各装置の稼働状態との関係を説明する図である。
【図４】画像処理装置において実行されるメイン処理について説明するフローチャートである。
【図５】画像処理装置において実行されるメイン処理について説明するフローチャートである。
【図６】画像処理装置において実行されるメニュー画面表示・操作受付処理について説明するフローチャートである。
【図７】画像処理装置において実行される省電力モード移行制御処理について説明するフローチャートである。
【図８】画像処理装置において実行される省電力モード復帰制御処理について説明するフローチャートである。
【図９】画像処理装置において実行されるＨＤＤ管理モード処理について説明するフローチャートである。
【図１０】画像処理装置において実行されるバックアップ／リストア終了時処理について説明するフローチャートである。
【図１１】画像処理装置において実行されるプリントジョブ受信時処理について説明するフローチャートである。
【図１２】画像処理装置において実行されるジョブ実行処理について説明するフローチャートである。
【図１３】画像処理装置において実行される画像形成部電源管理処理について説明するフローチャートである。
【図１４】メニュー画面表示・操作受付処理の実行に際して表示される操作画面例を示す図である。
【図１５】メニュー画面表示・操作受付処理の実行に際して表示される操作画面例を示す図である。
【図１６】省電力モード移行制御処理の実行に際して表示される操作画面例を示す図である。
【図１７】省電力モード移行制御処理の実行に際して表示される操作画面例を示す図である。
【図１８】メイン処理の実行に際して表示される操作画面例を示す図である。
【図１９】メイン処理の実行に際して表示される操作画面例を示す図である。
【図２０】メイン処理の実行に際して表示される操作画面例を示す図である。
【図２１】メイン処理の実行に際して表示される操作画面例を示す図である。
【図２２】ＨＤＤ管理モード処理の実行に際して表示される操作画面例を示す図である。
【図２３】ＨＤＤ管理モード処理の実行に際して表示される操作画面例を示す図である。
【図２４】ＨＤＤ管理モード処理の実行に際して表示される操作画面例を示す図である。
【発明を実施するための形態】
【００２２】
以下、本発明の実施の形態について図面を参照しながら説明する。なお、発明の範囲は図示例に限定されない。
【００２３】
本実施の形態におけるメンテナンスシステム１００は、図１に示すように、例えば、画像形成装置１０、ＰＣ（Personal Computer）３０、外部記憶装置４０等から構成されている。メンテナンスシステム１００は、ＰＣ３０又は外部記憶装置４０を用いて画像形成装置１０のメンテナンスを行うシステムである。ＰＣ３０は、ネットワークを介して画像形成装置１０に接続可能であり、外部記憶装置４０は、ＵＳＢ（Universal Serial Bus）等により画像形成装置１０に接続可能である。
【００２４】
画像形成装置１０は、入力画像に画像処理を施して出力画像を生成し、当該出力画像の印刷出力を行うものである。画像形成装置１０は、ＡＤＦ（Auto Document Feeder）２０ａ、フィニッシャ２０ｂ、給紙ユニット２０ｃの各種オプション機器（以下、オプション機器２０ａ〜２０ｃと総称する）が接続可能であり、用途に応じてこれらオプション機器２０ａ〜２０ｃの追加又は削除が可能である。
なお、本発明において画像形成装置とは、画像形成装置１０、または、画像形成装置１０と他のオプション機器２０ａ〜２０ｃとを含めた形態の何れをも含むものである。
【００２５】
画像形成装置１０は、図２に示すように、本体部１１、画像読取部１２、操作表示部１３、画像形成部１６、通信部１７を備えて構成されている。
また、本体部１１は、制御部１１１、不揮発メモリ１１２、画像処理部１１３、ＤＲＡＭ（Dynamic Random Access Memory）制御部１１４、ＤＲＡＭ１１５、Ｉ／Ｆ（Interface）１１６，１１７、ＨＤＤ（Hard Disk Drive）１１８を備えて構成されている。
【００２６】
制御部１１１は、ＣＰＵ（Central Processing Unit）、ＲＡＭ（Random Access Memory）等から構成されている。制御部１１１は、不揮発メモリ１１２に記憶されている制御プログラムを読み出してＲＡＭに展開し、当該制御プログラムとの協働により各部の動作を集中制御し、あるいは、各種演算を行う。
【００２７】
不揮発メモリ１１２は、制御プログラムやプログラムの実行に必要なパラメータ等を記憶する内部記憶手段であり、ＲＯＭ（Read Only Memory）等が適用可能である。また、不揮発メモリ１１２は、画像形成装置１０の各種設定に係る設定情報を記憶しており、例えば、本体固有情報、基本情報、調整情報、オプション構成情報等を記憶している。
【００２８】
画像処理部１１３は、画像読取部１２から入力される読取画像や、ＰＣ３０等から送信されるジョブデータに基づき、出力用の出力画像を生成する。画像処理としては、色変換処理、平均化処理、γ補正処理、解像度変換処理、スクリーン処理等が含まれる。生成した出力画像はＤＲＡＭ制御部１１４に出力される。
【００２９】
ＤＲＡＭ制御部１１４は、ＤＲＡＭ１１５に記憶された出力画像の入出力を制御する。
ＤＲＡＭ１１５は、出力画像を記憶する画像メモリである。
【００３０】
Ｉ／Ｆ１１６は、オプション機器２０ａ〜２０ｃと制御部１１１間で制御情報等をやり取りするためのインターフェイスである。
【００３１】
Ｉ／Ｆ１１７は、外部記憶装置４０内に記憶されているデータのやり取り（読み出し又は書き込み）を行うインターフェイスである。
【００３２】
記憶部の一例としてのＨＤＤ１１８は、未だ実行されていない残ジョブのジョブデータや、後にユーザの要求に応じて実行させるために保存されるジョブデータ等を記憶する不揮発メモリである。このジョブデータには、画像読取部１２で読み取られた読取画像に基づいて画像形成を行うためのコピージョブ、画像読取部１２で読み取られた読取画像に基づき、ＰＤＦ（Portable Document Format）等の文書ファイルフォーマットに変換するスキャンジョブ、ＰＣ３０等のホスト装置から送信されるＰＤＬ（Page Description Language）等のページ記述言語に基づいて画像形成を行うためのプリントジョブ等が含まれる。
なお、ＨＤＤ１１８に限定されず、電源の供給が遮断されても記憶情報を保持可能な不揮発メモリ等の記憶媒体を適用してもよい。
【００３３】
画像読取部１２は、光源、ＣＣＤ（Charge Coupled Device）、Ａ／Ｄ変換器等を備え、光源から原稿へ照明走査した光の反射光を結像してＣＣＤにより光電変換することにより原稿画像を読み取り、読み取った画像信号にＡ／Ｄ変換器によりデジタル画像データに変換する。ここで、画像は図形や写真等のイメージに限らず、文字や記号等のキャラクタイメージ等も含む。なお、画像形成装置１０にＡＤＦ２０ａが接続されている場合、ＡＤＦ２０ａによって画像読取部１２に原稿が自動搬送されるので、画像読取部１２はこの搬送された原稿の読み取りを行う。
【００３４】
操作表示部１３は、操作部１３１、表示部１３２及びタッチパネル１３３を備えて構成されている。
【００３５】
操作部１３１は、プリント開始を指示するためのスタートキーや数字キー等の各種機能キーを備え、これら機能キーやタッチパネル１３３が操作されると、対応する操作信号を制御部１１１に出力する。
【００３６】
表示部１３２は、タッチパネル１３３と一体に設けられたＬＣＤ（Liquid Crystal Display）を備え、このＬＣＤの表示領域上にプリント操作や後述するバックアップ操作を行うための各種操作画面を表示させる。
【００３７】
画像形成部１６は、本体部１１の画像処理部１１３から入力される出力画像に基づいて電子写真方式により画像形成を行う。電子写真方式では、レーザ光源から感光体ドラム上にレーザ光を照射して露光を行い、静電潜像を形成する。これに現像部がトナーを吹き付けてできたトナー像を記録用紙に転写する。なお、画像形成装置１０に給紙ユニット２０ｃが接続されている場合には、当該給紙ユニット２０ｃから記録用紙の給紙を行う。また、画像形成部１６は、定着部１６１を備えており、この定着部１６１によってトナー像が転写された記録用紙を加熱及び加圧することによって定着処理を施した後、この記録用紙を外部の排出トレイに出力する。このとき、画像形成装置１０にフィニッシャ２０ａが接続される場合には、トナー像が転写された記録用紙はフィニッシャ２０ａに出力される。
また、定着部１６１は、温度センサ１６１ａを備えており、定着部１６１の温度を計測し、その温度情報を制御部１１１に出力するように構成されている。
【００３８】
通信部１７は、ネットワークインターフェイスカード等の通信用のインターフェイスを備え、ＰＣ３０等の外部装置とネットワークを介して通信を行う。
【００３９】
ＰＣ３０は、例えば、ＨＤＤ等の記憶装置を備えており、画像形成装置１０のバックアップを行う際に、ＨＤＤ１１８に記憶されている情報を記憶する外部記憶装置として機能するものである。
【００４０】
外部記憶装置４０は、画像形成装置１０のバックアップを行う際に、ＨＤＤ１１８に記憶されている情報を記憶する外部記憶装置である。外部記憶装置４０としては、例えば、ＨＤＤ、ＣＤ−Ｒ（Compact Disk-Recordable）ドライブ、ＤＶＤ（Digital Versatile Disk）ドライブ、ＵＳＢメモリ等を用いることができる。
【００４１】
以上のように構成されたメンテナンスシステム１００の動作について説明する。
本実施の形態において、画像形成装置１０は、稼動状態である通常モードと、一部又は全部の装置の機能を停止させる省電力モードとの間で移行可能に構成されており、省電力モードはさらに複数のモードを含んでいる。そして、画像形成装置１０は、操作部１３１及びタッチパネル１３３の操作状態や、バックアップ中又はリストア中であるか否かに応じて、通常モードと複数の省電力モードとの何れのモードに移行するかを決定するように制御を行っている。
【００４２】
稼動状態としての通常モードでは、図３に示すように、画像形成部１６、操作表示部１３、ＨＤＤ１１８及び制御部１１１のＣＰＵの何れの装置も、稼動状態であることを示す「ＯＮ」状態となる。通常モードは、後述するように、バックアップ中及びリストア中の何れの状態でもなく、ユーザにより操作部１３１あるいはタッチパネル１３３による所定の復帰操作が行われたときに移行するモードである。なお、本実施の形態における復帰操作は、操作部１３１及びタッチパネル１３３における何れかのキーが操作されることであるが、他の操作であってもよく、例えば、複数のキーの同時押しや、所定のキーの長押し、あるいは、パスワードの入力等によって実現してもよい。
【００４３】
待機状態としての通常省電力モード（以下、省電力モード１とも称す）では、画像形成部１６、操作表示部１３及びＨＤＤ１１８の何れの装置も、電源の供給が停止されて機能が停止された機能停止状態であることを示す「ＯＦＦ」状態となる。また、制御部１１１のＣＰＵは、画像形成部１６、操作表示部１３及びＨＤＤ１１８等の周辺デバイスの電源の供給を停止した後、最後にシステムリセット状態となり、上述した復帰操作が行われたときに入力される信号によって稼動状態に移行できるよう待機される。通常省電力モードは、後述するように、バックアップ中及びリストア中の何れの状態でもなく、所定時間、ユーザによる操作部１３１あるいはタッチパネル１３３による入力がなかったときに移行するモードである。
【００４４】
待機状態としてのバックアップ省電力モード（以下、省電力モード２とも称す）では、画像形成部１６及び操作表示部１３が「ＯＦＦ」状態となる一方、ＨＤＤ１１８及び制御部１１１のＣＰＵは「ＯＮ」状態となる。バックアップ省電力モードは、後述するように、バックアップ中又はリストア中であって、所定時間、ユーザによる操作部１３１あるいはタッチパネル１３３による入力がなかったときに移行するモードである。
【００４５】
待機状態としてのバックアップウェイクモード（以下、省電力モード３とも称す）では、画像形成部１６が「ＯＦＦ」状態となる一方、操作表示部１３、ＨＤＤ１１８及び制御部１１１のＣＰＵが「ＯＮ」状態となる。バックアップウェイクモードは、後述するように、バックアップ中又はリストア中であって、ユーザにより操作部１３１あるいはタッチパネル１３３による所定の復帰操作が行われたときに移行するモードである。
【００４６】
次に、画像形成装置１０において行われるメイン処理について図４及び図５を参照しながら説明する。
【００４７】
制御部１１１は、電源がＯＮされ、メイン処理が実行されると、メニュー画面表示・操作受付処理を実行し、所定のメニュー画面表示を行って、操作表示部１３におけるユーザによる操作を受け付ける処理を行う（ステップＳ１０１）。メニュー画面表示・操作受付処理の詳しい処理内容については後述する。
【００４８】
そして、制御部１１１は、ユーザによるメニューにおける選択操作が行われたか否かを判定する（ステップＳ１０２）。制御部１１１は、ユーザによる選択操作が行われたと判定しないときは（ステップＳ１０２：Ｎ）、待機状態に移行するための時間が経過（タイムアップ）したか否かを判定する（ステップＳ１０３）。すなわち、制御部１１１は、最後の操作が行われて監視タイマがリセットされてから、所定時間が経過するまでの間に、ユーザによる選択操作が行われたか否かを判定する。
【００４９】
制御部１１１は、タイムアップしたと判定しないときは（ステップＳ１０３：Ｎ）、ステップＳ１０１の処理に移行する。一方、制御部１１１は、タイムアップしたと判定したときは（ステップＳ１０３：Ｙ）、省電力モード移行制御処理を実行し、画像形成装置１０の状態に応じてモードを変更する処理を行う（ステップＳ１０４）。省電力モード移行制御処理の詳しい処理内容については後述する。
【００５０】
次に、制御部１１１は、ユーザにより操作部１３１あるいはタッチパネル１３３による所定の復帰操作が行われたか否かを判定する（ステップＳ１０５）。制御部は、復帰操作が行われたと判定したときは（ステップＳ１０５：Ｙ）、省電力モード復帰制御処理を実行し、画像形成装置１０の状態に応じてモードを変更する処理を行う（ステップＳ１０６）。省電力モード復帰制御処理の詳しい処理内容については後述する。そして、制御部１１１は、ステップＳ１０６の処理を行った後、ステップＳ１０１の処理に移行する。
【００５１】
一方、制御部１１１は、ステップＳ１０５において、復帰操作が行われたと判定しないときは（ステップＳ１０５：Ｎ）、バックアップフラグが１から０に変更されたか否かを判定する（ステップＳ１０７）。ここで、バックアップフラグは、バックアップ中又はリストア中であることを示すフラグであって、後述するように、バックアップ又はリストアが実行されると「１」がセットされ、終了すると「０」がセットされる。制御部１１１は、バックアップフラグが１から０に変更されたと判定したときは（ステップＳ１０７：Ｙ）、画像形成装置１０の状態を省電力モード１に移行させた後（ステップＳ１０８）、ステップＳ１０５の処理に移行する。なお、後述するように、バックアップ又はリストアが終了した後、予約ジョブが実行される場合には、制御部１１１のＣＰＵ、ＨＤＤ１１８及び画像形成部１６については稼働となる場合がある。一方、制御部１１１は、バックアップフラグが１から０に変更されたと判定しないときは（ステップＳ１０７：Ｎ）、ステップＳ１０８の処理を実行することなく、ステップＳ１０５の処理に移行する。
【００５２】
制御部１１１は、ステップＳ１０２において、ユーザによる選択操作が行われたと判定したときは（ステップＳ１０２：Ｙ）、当該操作が「ＣＯＰＹ」及び「ＳＣＡＮ」の何れかの実行操作であるか否かを判定する（ステップＳ１０９）。「ＣＯＰＹ」及び「ＳＣＡＮ」は、図１４に示されるＬＣＤの表示領域Ｄ上に表示された「ＣＯＰＹ」ボタンｂ１及び「ＳＣＡＮ」ボタンｂ２にそれぞれ対応しており、何れかのボタンが表示された位置がユーザによって押圧操作され、「ＣＯＰＹ」あるいは「ＳＣＡＮ」にそれぞれ対応する設定画面において所定の設定操作がなされた後、操作部１３１の「ＳＴＡＲＴ」ボタンｋ１が操作されたことにより、実行操作の判定が行われる。制御部１１１は、当該操作が「ＣＯＰＹ」及び「ＳＣＡＮ」の何れかの実行操作であると判定したときは（ステップＳ１０９：Ｙ）、実行操作に対応するジョブ（コピージョブ、スキャンジョブ）の内容をジョブキューに登録し（ステップＳ１１０）、上述した待機状態に移行するための監視タイマをリセットした後（ステップＳ１１１）、ステップＳ１０１の処理に移行する。なお、受け付けたジョブのジョブデータについてはＨＤＤ１１８に記憶される。
【００５３】
一方、制御部１１１は、ステップＳ１０９において、当該操作が「ＣＯＰＹ」及び「ＳＣＡＮ」の何れかの実行操作であると判定しないとき、すなわち、「ＣＯＰＹ」及び「ＳＣＡＮ」の何れでもない場合は（ステップＳ１０９：Ｎ）、当該操作が「調整」ボタンであるか否かを判定する（ステップＳ１１２）。「調整」ボタンは、図１４に示されるＬＣＤの表示領域Ｄ上に表示された「調整」ボタンｂ４に対応しており、この「調整」ボタンｂ４が表示された位置がユーザによって押圧操作されたことにより操作の判定が行われる。
【００５４】
制御部１１１は、当該操作が「調整」ボタンであると判定したときは（ステップＳ１０９：Ｙ）、所定の調整画面を表示領域Ｄ上に表示し、γ調整や色合い調整等、出力される画像に関するパラメータの調整を設定可能にする画像調整処理を実行し（ステップＳ１１３）、ステップＳ１１１の処理に移行する。
【００５５】
一方、制御部１１１は、ステップＳ１１２において、当該操作が「調整」ボタンであると判定しないときは（ステップＳ１１２：Ｎ）、当該操作が「設定」ボタンであるか否かを判定する（ステップＳ１１４）。「設定」ボタンは、図１４に示されるＬＣＤの表示領域Ｄ上に表示された「設定」ボタンｂ５に対応しており、この「設定」ボタンｂ５が表示された位置がユーザによって押圧操作されたことにより操作の判定が行われる。
【００５６】
制御部１１１は、当該操作が「設定」ボタンであると判定したときは（ステップＳ１１４：Ｙ）、所定の設定メニューを表示するとともに、各種操作を受け付ける（ステップＳ１１５）。具体的には、制御部１１１は、図１８に示すような設定メニュー画面をＬＣＤの表示領域Ｄ上に表示する。この設定メニュー画面には、「ＨＤＤ管理モード」ボタンｂ６、「機能設定」ボタンｂ７、「ネットワークの設定」ボタンｂ８及び「メールアドレス登録」ボタンｂ９が表示されるとともに、画面右下部に「Ｃａｎｃｅｌ」ボタンｂ１０が表示される。これらのボタンｂ６〜ｂ１０は、ボタンが表示された位置をユーザが押圧操作することにより操作が受け付けられる。
なお、操作表示部１３の右側上端部には、画像形成部１０の状態を表示するためのステータスＬＥＤ（Light-Emitting Diode）Ｓが設けられており、例えば、通常モードにおいては、ステータスＬＥＤＳは点灯状態となり、バックアップ中及びリストア中においては、ステータスＬＥＤＳは所定の態様による点滅状態となり、通常省電力モードにおいては、ステータスＬＥＤＳは消灯状態となる。
【００５７】
そして、制御部１１１は、キャンセル操作が行われたか、また、設定メニュー画面を表示してから所定の表示時間が経過したかを判定する（ステップＳ１１６）。具体的には、制御部１１１は、表示領域Ｄ上に表示された「Ｃａｎｃｅｌ」ボタンｂ１０が操作されたか、または、設定メニュー画面を表示してから何れの操作も行われずに所定時間経過したか否かを判定する。
【００５８】
制御部１１１は、キャンセル操作が行われたか、また、設定メニュー画面を表示してから所定の表示時間が経過したと判定しないときは（ステップＳ１１６：Ｎ）、設定メニュー画面に表示された各設定ボタンｂ６〜ｂ９の何れかが操作されたか否かを判定する（ステップＳ１１７）。一方、制御部１１１は、キャンセル操作が行われたか、また、設定メニュー画面を表示してから所定の表示時間が経過したと判定したときは（ステップＳ１１６：Ｙ）、上述した待機状態に移行するための監視タイマをリセットした後（ステップＳ１２０）、ステップＳ１０１の処理に移行する。
【００５９】
制御部１１１は、ステップＳ１１７において、設定メニュー画面に表示された各設定ボタンｂ６〜ｂ９の何れかが操作されたと判定したときは（ステップＳ１１７：Ｙ）、操作された項目が「ＨＤＤ管理モード」であるか否かを判定する（ステップＳ１１８）。すなわち、制御部１１１は、「ＨＤＤ管理モード」ボタンｂ６の操作が行われたか否かを判定する。一方、制御部１１１は、ステップＳ１１７において、設定メニュー画面に表示された各設定ボタンｂ６〜ｂ９の何れかが操作されたと判定しないときは（ステップＳ１１７：Ｎ）は、ステップＳ１１６の処理に移行する。
【００６０】
制御部１１１は、ステップＳ１１８において、操作された項目が「ＨＤＤ管理モード」であると判定したときは（ステップＳ１１８：Ｙ）、バックアップ又はリストアを実行するためのＨＤＤ管理モードメニューを表示し、各種操作を受け付けるＨＤＤ管理モード処理を実行し（ステップＳ１１９）、ステップＳ１２０の処理に移行する。このＨＤＤ管理モード処理の詳しい処理内容については後述する。
【００６１】
一方、制御部１１１は、ステップＳ１１８において、操作された項目が「ＨＤＤ管理モード」であると判定しないときは（ステップＳ１１８：Ｎ）、選択された項目に応じた処理を実行し（ステップＳ１２１）、ステップＳ１２０の処理に移行する。
【００６２】
また、制御部１１１は、ステップＳ１１４において、当該操作が「設定」ボタンであると判定しないときは（ステップＳ１１４：Ｎ）、当該操作は「編集」ボタンであると判定し、所定のジョブ編集メニューを表示するとともに、各種操作を受け付ける（ステップＳ１２２）。なお、「編集」ボタンは、図１４に示されるＬＣＤの表示領域Ｄ上に表示された「編集」ボタンｂ３に対応しており、この「編集」ボタンｂ３が表示された位置がユーザによって押圧操作されたことにより操作の判定が行われる。制御部１１１は、「編集」ボタンの操作を判定すると、図１９に示すようなジョブ編集メニュー画面をＬＣＤの表示領域Ｄ上に表示する。このジョブ編集メニュー画面には、保存されたジョブデータのリストを示す保存ジョブリストｘと、保存ジョブリストｘからユーザが選択したジョブの詳細を表示するためのジョブデータ詳細表示領域ｙとが表示されている。保存ジョブリストｘ上に表示されたジョブのうちの何れかの表示位置をユーザが押圧操作すると、その位置に表示されたジョブが選択されて強調表示されるとともに、その内容がジョブデータ詳細表示領域ｙに表示される。また、表示領域Ｄの右側には、保存ジョブリストｘからユーザが選択したジョブの削除を行うための「削除」ボタンｂ１４、保存ジョブリストｘからユーザが選択したジョブを複製して保存ジョブリストｘに加えるための「複製」ボタンｂ１５、保存ジョブリストｘからユーザが選択したジョブのジョブデータを編集するための「編集」ボタンｂ１６、保存ジョブリストｘからユーザが選択したジョブをプリントジョブとして実行するための「出力」ボタンｂ１７が縦列配置して表示されている。これらのボタンｂ１４〜ｂ１７は、ボタンが表示された位置をユーザが押圧操作することにより操作が受け付けられる。
【００６３】
ここで、後述するバックアップ又はリストアが実行された場合には、図２０及び図２１に示すように、保存ジョブリストｘ上に表示されたジョブの一部又は全部について網掛け表示がなされ、網掛けされたジョブについて選択できないように制御される。このとき、選択できないジョブを選択操作したときに、編集できない旨の表示を行うようにしてもよい。
【００６４】
次に、制御部１１１は、ジョブ編集メニューを表示してから所定の表示時間が経過したかを判定する（ステップＳ１２３）。具体的には、制御部１１１は、ジョブ編集メニューを表示してから何れの操作も行われずに所定時間経過したか否かを判定する。
【００６５】
制御部１１１は、ジョブ編集メニューを表示してから所定の表示時間が経過したと判定しないときは（ステップＳ１２３：Ｎ）、ジョブ編集メニュー画面に表示された各ボタンｂ１４〜ｂ１７の何れかが操作されたか否かを判定する（ステップＳ１２４）。具体的には、上述のようにして、保存ジョブリストｘからジョブが選択された後に、ボタンｂ１４〜１７の操作が行われたか否かについて判定する。一方、制御部１１１は、ジョブ編集メニューを表示してから所定の表示時間が経過したと判定したときは（ステップＳ１２３：Ｙ）、上述した待機状態に移行するための監視タイマをリセットした後（ステップＳ１２８）、ステップＳ１０１の処理に移行する。
【００６６】
制御部１１１は、ステップＳ１２４において、ジョブ編集メニュー画面に表示された各ボタンｂ１４〜ｂ１７の何れかが操作されたと判定したときは（ステップＳ１２４：Ｙ）、操作されたボタンが「出力」ボタンであるか否かを判定する（ステップＳ１２５）。一方、制御部１１１は、ステップＳ１２４において、ジョブ編集メニュー画面に表示された各ボタンｂ１４〜ｂ１７の何れかが操作されたと判定しないときは（ステップＳ１２４：Ｎ）は、ステップＳ１２３の処理に移行する。
【００６７】
制御部１１１は、ステップＳ１２５において、操作されたボタンが「出力」ボタンであると判定したときは（ステップＳ１２５：Ｙ）、保存ジョブリストｘから選択されたジョブをプリントジョブとしてジョブキューに登録し（ステップＳ１２６）、ステップＳ１２８の処理に移行する。
【００６８】
一方、制御部１１１は、ステップＳ１２５において、操作されたボタンが「出力」ボタンであると判定しないときは（ステップＳ１２５：Ｎ）、保存ジョブリストｘから選択されたジョブに対して選択されたボタンｂ１４〜ｂ１６に対応する処理を実行し（ステップＳ１２７）、ステップＳ１２８の処理に移行する。
【００６９】
次に、ステップＳ１０１において実行されるメニュー画面表示・操作受付処理について、図６を参照しながら説明する。
【００７０】
先ず、制御部１１１は、バックアップフラグが１であるか否か、すなわち、バックアップフラグがセットされているか否かを判定する（ステップＳ２０１）。制御部１１１は、バックアップフラグがセットされていると判定しないときは（ステップＳ２０１：Ｎ）、図１４に示されるような通常メニュー画面をＬＣＤの表示領域Ｄ上に表示する（ステップＳ２０２）。具体的には、ステップＳ２０２が実行されると、通常メニュー画面として、「ＣＯＰＹ」ボタンｂ１が操作されたときのコピー設定画面がデフォルト画面として表示され、このコピー設定画面には、コピー設定を行うための項目ボタンｉ１〜ｉ３が表示される。なお、ステータスＬＥＤＳは、点灯状態となっている。
【００７１】
そして、制御部１１１は、メニュー画面において選択可能な全ての項目について制限を設けず、全操作の受付を許可する処理を行った後（ステップＳ２０３）、この処理を終了する。これにより、ユーザは、通常メニューにおける全ての項目について選択操作を行うことが可能となる。
【００７２】
一方、制御部１１１は、バックアップフラグがセットされていると判定したときは（ステップＳ２０１：Ｙ）、図１５に示されるようなバックアップ／リストア用メニュー画面をＬＣＤの表示領域Ｄ上に表示する（ステップＳ２０４）。具体的には、ステップＳ２０４が実行されると、バックアップ／リストア用メニュー画面として、バックアップ中又はリストア中である旨、及び、その進行状況を示す画面が表示される。また、画面には、コピージョブ及びプリントジョブについては、実行の受け付けのみ行い、バックアップ（あるいは、リストア）が終了した後に実行される旨の表示が行われる。なお、ステータスＬＥＤＳは、所定の態様で点滅されている。
そして、制御部１１１は、ステップＳ２０４の処理を実行した後、ステップＳ２０３の処理に移行する。
【００７３】
次に、ステップＳ１０４において実行される省電力モード移行制御処理について、図７を参照しながら説明する。
【００７４】
先ず、制御部１１１は、バックアップフラグが１であるか否か、すなわち、バックアップフラグがセットされているか否かを判定する（ステップＳ３０１）。制御部１１１は、バックアップフラグがセットされていると判定したときは（ステップＳ３０１：Ｙ）、画像形成装置１０の状態を、上述した省電力モード２に移行する処理を行った後（ステップＳ３０２）、この処理を終了する。ここで、省電力モード２に移行する前の画像形成装置１０の状態は、後述するように、省電力モード３である。すなわち、制御部１１１は、操作が行われなくなってからセットされた監視タイマがタイムアップして所定の待機状態移行条件が成立すると、省電力モード３から省電力モード２に移行されることから、機能していた操作表示部１３の機能が停止されることとなる。その結果、図１６に示すように、ＬＣＤがＯＦＦにされ、表示領域Ｄ上には何も表示されなくなり、操作部１３２及びタッチパネル１３３も所定の機能停止状態となる。そして、ステータスＬＥＤＳは、バックアップ中又はリストア中であることを示す点滅状態となっている。
【００７５】
一方、制御部１１１は、バックアップフラグがセットされていると判定しないときは（ステップＳ３０１：Ｎ）、画像形成装置１０の状態を、上述した省電力モード１に移行する処理を行った後（ステップＳ３０３）、この処理を終了する。すなわち、制御部１１１は、後述するが、ジョブの実行が終了してから監視タイマがタイムアップしたときに、稼動状態としての通常モードから、待機状態としての省電力モード１に移行する処理を行う。その結果、図１７に示すように、ＬＣＤがＯＦＦにされ、表示領域Ｄ上には何も表示されなくなり、操作部１３２及びタッチパネル１３３も所定の機能停止状態となり、操作表示部１３の左側下部に設けられたＳＬＥＥＰ−ＬＥＤＺが省電力モード１になったことを示すために所定の態様にて点滅する。そして、ステータスＬＥＤＳは、バックアップ中及びリストア中の何れでもないことを示す消灯となっている。
なお、本実施の形態では、バックアップフラグがセットされている限り、省電力モード１に移行されることがない。すなわち、バックアップ制御が実行されている間は、省電力モード１への移行が制限されるようになっている。
【００７６】
次に、ステップＳ１０６において実行される省電力モード復帰制御処理について、図８を参照しながら説明する。
【００７７】
先ず、制御部１１１は、バックアップフラグが１であるか否か、すなわち、バックアップフラグがセットされているか否かを判定する（ステップＳ４０１）。制御部１１１は、バックアップフラグがセットされていると判定したときは（ステップＳ４０１：Ｙ）、画像形成装置１０の状態を、上述した省電力モード３に移行する処理を行った後（ステップＳ４０２）、この処理を終了する。ここで、省電力モード３に移行する前の画像形成装置１０の制御状態は、省電力モード２である。すなわち、制御部１１１は、操作表示部１３の機能が停止しているときに、所定の復帰操作を検出すると、省電力モード２から省電力モード３に移行されることから、機能の停止していた操作部１３２及びタッチパネル１３３の機能が復帰し、操作に応じた制御が可能となる。
【００７８】
一方、制御部１１１は、バックアップフラグがセットされていると判定しないときは（ステップＳ４０１：Ｎ）、画像形成装置１０の状態を上述した通常モードに移行する処理を行った後（ステップＳ４０３）、この処理を終了する。
【００７９】
次に、ステップＳ１１９において実行されるＨＤＤ管理モード処理について、図９を参照しながら説明する。
【００８０】
先ず、制御部１１１は、ＨＤＤ管理モードメニュー画面を表示する制御を行う（ステップＳ５０１）。具体的には、制御部１１１は、画像形成装置１０の状態が通常モードであるときには、図２２に示すようなＨＤＤ管理モードメニュー画面をＬＣＤの表示領域Ｄ上に表示する。このＨＤＤ管理モードメニュー画面には、「ＨＤＤバックアップ」ボタンｂ１１及び「リストア」ボタンｂ１２が表示されるとともに、画面右下部に「Ｃａｎｃｅｌ」ボタンｂ１０が表示される。なお、ステータスＬＥＤＳは、通常モードであることを示す点灯状態となっている。
また、本実施の形態では、バックアップ中及びリストア中は、ＨＤＤ管理に関する他の項目についての実行を制限するため、制御部１１１は、図２３に示すように、例えば、バックアップ中においては、「リストア」ボタンｂ１２を網掛け表示し、操作を受け付けないように制御する。また、「ＨＤＤバックアップ」ボタンｂ１１については、実行中のバックアップ動作を中断するための「ＨＤＤバックアップ中断」ボタンに変更され、制御部１１１によりバックアップの中断を受け付けるように制御される。
【００８１】
次に、制御部１１１は、キャンセル操作が行われたか、又は、ＨＤＤ管理モードメニューを表示してから所定の表示時間が経過したかを判定する（ステップＳ５０２）。具体的には、制御部１１１は、表示領域Ｄ上に表示された「Ｃａｎｃｅｌ」ボタンｂ１０が操作されたか、又は、ＨＤＤ管理モードメニューを表示してから何れの操作も行われずに所定時間経過したか否かを判定する。
【００８２】
制御部１１１は、キャンセル操作が行われたか、又は、ＨＤＤ管理モードメニューを表示してから所定の表示時間が経過したと判定しないときは（ステップＳ５０２：Ｎ）、ＨＤＤバックアップ又はリストアの実行操作が行われたか否かを判定する（ステップＳ５０３）。具体的には、制御部１１１は、ＨＤＤ管理モードメニュー画面に表示された各設定ボタンｂ１１，ｂ１２の何れかが操作されて、ＨＤＤバックアップ及びリストアの何れを実行するかについて選択し、バックアップ又はリストアを行うジョブの選択を行った後、選択したジョブについてバックアップ又はリストアを実行する旨の操作が行われたか否かを判定する。例えば、制御部１１１は、図２２に示されるＨＤＤ管理モードメニュー画面において、「ＨＤＤバックアップ」スイッチｂ１１の操作が検出されると、図２４に示すように、バックアップを行うジョブの選択及びバックアップの開始を指示するためのバックアップ指示画面をＬＣＤの表示領域Ｄ上に表示する。そして、制御部１１１は、バックアップ指示画面に表示された保存ジョブリストｘからバックアップを行うジョブが１又は複数選択操作されたことを検出した後、「ＳＴＡＲＴ」ボタンｂ１３の操作を検出することにより、バックアップの実行操作が行われたと判定する。なお、表示領域Ｄの右側上部に表示された「全選択」ボタンｂ１８は、保存ジョブリストｘに表示されている全てのジョブの選択を一度の操作によって実現するためのボタンである。
一方、制御部１１１は、キャンセル操作が行われたか、また、ＨＤＤ管理モードメニューを表示してから所定の表示時間が経過したと判定したときは（ステップＳ５０２：Ｙ）、この処理を終了する。
【００８３】
制御部１１１は、ステップＳ５０３において、バックアップ又はリストアの実行操作が行われたと判定したときは（ステップＳ５０３：Ｙ）、バックアップフラグを１にして、バックアップフラグのセットを行う（ステップＳ５０４）。
【００８４】
次に、制御部１１１は、コピージョブ又はプリントジョブの実行中であるか否かを判定する（ステップＳ５０５）。すなわち、コピージョブ及びプリントジョブはいずれも画像形成部１６を使用するジョブであって、ＨＤＤ１１８からジョブデータを読み出しながら画像形成が行われる場合があることから、バックアップ又はリストアがこのようなジョブと並行して行われると、ＨＤＤ１１８に対する処理負荷が大きくなってアクセス速度が低下するなどの問題が生じる。その結果、画像形成処理に対してＨＤＤ１１８からのデータの読み出しが追い付かず、いわゆるジャムなどのエラーが生じる可能性がある。このため、このようなジョブが実行されているときは、バックアップ及びリストアの実行を留保するようにしている。
【００８５】
制御部１１１は、コピージョブ又はプリントジョブの実行中であると判定しないときは（ステップＳ５０５：Ｎ）、バックアップ又はリストアを開始する（ステップＳ５０６）。具体的には、制御部１１１は、バックアップを開始すると、ＨＤＤ１１８に記憶されている上述したジョブデータ等の各種情報の一部又は全部をＰＣ３０あるいは外部記憶装置４０にバックアップデータとして記憶する。また、制御部１１１は、リストアを開始すると、ＰＣ３０あるいは外部記憶装置４０に記憶されたバックアップデータをＨＤＤ１１８に書き戻す。そして、制御部１１１は、ステップＳ５０６において、バックアップ又はリストアを開始した後、この処理を終了する。
一方、制御部１１１は、ステップＳ５０５において、コピージョブ又はプリントジョブの実行中であると判定したときは（ステップＳ５０５：Ｙ）、ステップＳ５０６の処理を実行することなくこの処理を終了する。
【００８６】
また、制御部１１１は、ステップＳ５０３において、バックアップ又はリストアの実行操作が行われたと判定しないときは（ステップＳ５０３：Ｎ）、ステップＳ５０２の処理に移行する。
【００８７】
以上の処理が実行されることによれば、コピージョブ又はプリントジョブの実行中においては、バックアップあるいはリストアの実行が留保され、そうでない場合には、バックアップあるいはリストアを実行するようにしたので、画像形成処理におけるトラブルの発生を防止でき、また、トラブルの発生しないようなジョブに並行してバックアップあるいはリストアの実行を可能にしたので、ジョブとバックアップ及びリストアの作業の効率化が図れ、生産性が向上する。
【００８８】
次に、画像形成装置１０において行われるバックアップ／リストア終了時処理について、図１０を参照しながら説明する。この処理は、制御部１１１がバックアップ又はリストアの完了を検知すると起動する割込処理である。
【００８９】
制御部１１１は、バックアップ／リストア終了時処理を開始すると、バックアップフラグを０にして、バックアップフラグをクリアした後（ステップＳ６０１）、この処理を終了する。
【００９０】
次に、画像形成装置１０において行われるプリントジョブ受信時処理について、図１１を参照しながら説明する。この処理は、制御部１１１が、ＰＣ３０などのホスト装置からプリントジョブデータやＨＤＤ１１８にジョブデータを保存するための保存ジョブデータを受信したことを検出すると起動する割込処理である。なお、画像形成装置１０が上述した省電力モード１である場合には、制御部１１１のＣＰＵがシステムリセット状態から復帰して、この処理が実行される。
【００９１】
先ず、制御部１１１は、受信したジョブデータが保存ジョブデータであるか否かを判定する（ステップＳ７０１）。制御部１１１は、受信したジョブデータが保存ジョブデータであると判定したときは（ステップＳ７０１：Ｙ）、新規の保存ジョブとして、ＨＤＤ１１８に受信したジョブデータの保存を行う（ステップＳ７０２）。保存されたジョブデータは、保存ジョブリストｘ上にエントリーされ、上述したジョブデータの編集や、後のタイミングでの出力ができるようになる。制御部１１１は、ステップＳ７０２を実行した後、この処理を終了する。
【００９２】
一方、制御部１１１は、受信したジョブデータが保存ジョブデータであると判定しないとき、すなわち、受信したジョブデータがプリントジョブデータであるときは（ステップＳ７０１：Ｎ）、バックアップフラグが１であるか否か、すなわち、バックアップフラグがセットされているか否かを判定する（ステップＳ７０３）。制御部１１１は、バックアップフラグがセットされていると判定しないときは（ステップＳ７０３：Ｎ）、画像形成装置１０の状態が上述した省電力モード１であるか否かを判定する（ステップＳ７０４）。
【００９３】
制御部１１１は、省電力モード１であると判定したときは（ステップＳ７０４：Ｙ）、画像形成装置１０の状態を、上述した通常モードに移行した後（ステップＳ７０５）、受信したプリントジョブをジョブキューに登録する（ステップＳ７０６）。なお、受信したプリントジョブのジョブデータは、ＨＤＤ１１８に記憶される。そして、制御部１１１は、ステップＳ７０６の処理を実行した後は、この処理を終了する。
【００９４】
一方、制御部１１１は、ステップＳ７０４において、省電力モード１であると判定しないとき、すなわち、画像形成装置１０の制御状態が、既に上述した通常モードであると判定したときは（ステップＳ７０４：Ｎ）、ステップＳ７０５の処理を実行することなく、ステップＳ７０６の処理に移行する。
【００９５】
また、制御部１１１は、ステップＳ７０３において、バックアップフラグがセットされていると判定したときは（ステップＳ７０３：Ｙ）、プリントジョブデータの送信元であるホスト装置に対してプリントが予約された旨の通知を行った後（ステップＳ７０７）、ステップＳ７０６の処理に移行する。すなわち、制御部１１１は、バックアップ中又はリストア中であって、プリントジョブの実行を並行して行うことができないので、受信したプリントジョブについては、バックアップ又はリストアが終了した後に実行される旨の予約通知をホスト装置に出力する。なお、当該予約通知を画像形成装置１０において行ってもよく、この場合、表示部１３２に所定の表示（表示出力）を行ったり、ＬＥＤを発光させたり、音声を出力（音声出力）することによって実現することが可能である。
【００９６】
以上の処理が実行されることによれば、バックアップ中又はリストア中においては、プリントジョブデータを受信しても、当該プリントジョブをバックアップ又はリストアと並行して実行しないで、そのジョブの実行をバックアップ又はリストアが終了するまで留保するので、バックアップ又はリストアとプリントジョブとが並行して行われて処理負荷が増大し、プリントジョブにトラブルが発生するおそれがなくなる。
【００９７】
次に、画像形成装置１０において行われるジョブ実行処理について、図１２を参照しながら説明する。この処理は、所定時間毎に起動する割込処理である。
【００９８】
先ず、制御部１１１は、ジョブキューに登録ジョブがあるか否かを判定する（ステップＳ８０１）。具体的には、制御部１１１は、図４に示されるメイン処理のステップＳ１１０及びステップＳ１２６や、図１１に示されるプリントジョブ受信時処理のステップＳ７０６において各種ジョブが登録されると、この処理において登録ジョブがあると判定する。
【００９９】
制御部１１１は、ジョブキューに登録ジョブがあると判定したときは（ステップＳ８０１：Ｙ）、バックアップフラグがセットされているか否かを判定する（ステップＳ８０２）。一方、制御部１１１は、ジョブキューに登録ジョブがあると判定しないときは（ステップＳ８０１：Ｎ）、この処理を終了する。
【０１００】
制御部１１１は、ステップＳ８０２において、バックアップフラグがセットされていると判定しないときは（ステップＳ８０２：Ｎ）、ジョブキューに最先に登録されたジョブを読み出す（ステップＳ８０３）。一方、制御部は、ステップＳ８０２において、バックアップフラグがセットされていると判定したときは（ステップＳ８０２：Ｙ）、ジョブキューにスキャンジョブが登録されているか否かを判定する（ステップＳ８０４）。
【０１０１】
制御部１１１は、ステップＳ８０４において、ジョブキューにスキャンジョブが登録されていると判定したときは（ステップＳ８０４：Ｙ）、ジョブキューに登録されている最先のスキャンジョブを読み出す（ステップＳ８０５）。一方、ステップＳ８０４において、ジョブキューにスキャンジョブが登録されていると判定しないとき、すなわち、ジョブキューにスキャンジョブが登録されていない場合には（ステップＳ８０４：Ｎ）、この処理を終了する。つまり、バックアップ中又はリストア中は、コピージョブ及びプリントジョブがジョブキューに登録されていてもこれらのジョブは実行されない。
なお、本実施の形態では、ジョブキューに登録されているジョブの中から、最先のスキャンジョブを選択して読み出すようにしたが、最先のジョブを読み出し、スキャンジョブ以外のジョブを検出したときは、当該ジョブをジョブキューの最後尾に移動させ、スキャンジョブが検出されるまでこれを繰り返すようにしてもよい。
【０１０２】
そして、制御部１１１は、上述した待機状態に移行するための監視タイマをリセットした上で、監視タイマの進行を停止させ（ステップＳ８０６）、ステップＳ８０３又はステップＳ８０５において読み出したジョブを実行する（ステップＳ８０７）。
【０１０３】
具体的には、制御部１１１は、例えば、プリントジョブを実行する場合には、実行するジョブのジョブデータをＨＤＤ１１８から読み出して画像処理部１１３に転送する。また、コピージョブを実行する場合には、上述したように、画像読取部１２によって読み取られた読取画像のデータをＨＤＤ１１８に一度記憶した後、ジョブデータとして画像処理部１１３に転送する。そして、制御部１１１は、このようにして転送されたジョブデータに基づき、画像処理部１１３による画像データの生成を行い、画像形成部１６によって用紙に画像を形成する。
ここで、画像形成部１６によって行われる画像形成速度は一定であるため、ジョブデータのＨＤＤ１１８から画像処理部１１３への転送が遅れると、ジャム等のトラブルが発生することとなる。つまり、バックアップ又はリストアに並行してプリントジョブやコピージョブが行われると、制御部１１１の処理負荷及びＨＤＤ１１８の読み書き速度の低下により、ジョブデータのＨＤＤ１１８から画像処理部１１３への転送が間に合わなくなる可能性がある。
本実施の形態では、制御部１１１は、このようなトラブルの発生するおそれのあるプリントジョブやコピージョブの実行を受け付けたときには、バックアップ及びリストアの終了までこれらのジョブを開始せず、バックアップ及びリストアの終了後に開始するように制御する。すなわち、制御部１１１は、バックアップ及びリストアの実行中にプリントジョブやコピージョブを受け付けたときには、これらのジョブの実行をバックアップ及びリストアの終了まで留保し、バックアップ及びリストアの終了後に留保したジョブを実行するように制御する。そして、上述したように、プリントジョブやコピージョブについては、バックアップ中及びリストア中においては、そのジョブの受け付けを可能にしているので、バックアップ又はリストアの終了後、速やかにジョブを実行させることができるようになる。このことは、特に、プロダクションプリントの業態においては、画像形成装置が稼働しない期間が少なく、バックアップを行う期間は限られているため、バックアップの実行に伴うダウンタイムの発生をできるだけ少なく抑えることが可能となる。
なお、ＨＤＤ１１８からのジョブデータの転送を伴わないため、ＨＤＤ１１８を使用しないで画像形成が可能な、いわゆるページモードのジョブについては、バックアップ及びリストアと並行して実行させるようにしてもよい。
【０１０４】
また、制御部１１１は、例えば、スキャンジョブを実行する場合には、上述したように、画像読取部１２で読み取られた読取画像のデータを文書ファイルフォーマットに変換し、その変換データをＨＤＤ１１８に記憶する。
本実施の形態では、スキャンジョブについては、画像形成部１６による画像形成を伴わないので、バックアップ及びリストアと並行して実行してもトラブルの発生の可能性は低いため、バックアップ中又はリストア中であってもジョブの実行を留保せず、並行して行わせるようにして、生産性を向上させるようにしている。
【０１０５】
そして、制御部１１１は、ジョブの実行が終了すると、バックアップフラグがセットされているか否かを判定する（ステップＳ８０８）。制御部１１１は、バックアップフラグがセットされていると判定したときは、バックアップ又はリストアが実行中であるか否かを判定する（ステップＳ８０９）。そして、制御部１１１は、バックアップ又はリストアが実行中であると判定しないときは、ＨＤＤ管理モード処理（図９参照）において実行が留保されていたバックアップ又はリストアを開始した後（ステップＳ８１０）、ステップ８１１の処理に移行する。
一方、制御部１１１は、ステップＳ８０８において、バックアップフラグがセットされていると判定しないとき（ステップＳ８０８：Ｎ）、及び、ステップＳ８０９において、バックアップ又はリストアが実行中であると判定したとき（ステップＳ８０９：Ｙ）は、ステップ８１１の処理に移行する。
【０１０６】
そして、制御部１１１は、監視タイマの進行を開始して（ステップＳ８１１）、ステップＳ８０１の処理に移行する。
【０１０７】
次に、画像形成装置１０において行われる画像形成部電源管理処理について、図１３を参照しながら説明する。この処理は、所定時間毎に起動する割込処理である。
【０１０８】
先ず、制御部１１１は、バックアップフラグがセットされているか否かを判定する（ステップＳ９０１）。制御部１１１は、バックアップフラグがセットされていると判定したときは（ステップＳ９０１：Ｙ）、画像形成装置１０の状態が省電力モードであるか否か、すなわち、省電力モード２又は３の何れかであるか否かを判定する（ステップＳ９０２）。
【０１０９】
制御部１１１は、省電力モードであると判定しないときは（ステップＳ９０２：Ｎ）、ジョブキューにコピージョブ又はプリントジョブが登録されているか否かを判定する（ステップＳ９０３）。すなわち、制御部１１１は、ジョブキューに実行が留保されたジョブが登録されているか否かを判定する。なお、バックアップ又はリストアが開始された直後は、未だ省電力モードには移行されていないので、ステップＳ９０３に移行されることとなる。
【０１１０】
制御部１１１は、ジョブキューにコピージョブ又はプリントジョブが登録されていると判定したときは（ステップＳ９０３：Ｙ）、バックアップ完了時間とウォームアップ完了時間を算出する（ステップＳ９０４）。具体的には、制御部１１１は、バックアップが開始されて現在までに処理が行われた処理量と、バックアップ開始から現在までの経過時間とから、残りの処理量に対してどのくらいの時間がかかるかを算出することにより、バックアップ完了時間を求める。また、制御部１１１は、画像形成部１６の定着部１６１に設けられた温度センサ１６１ａから出力された温度情報に基づいて、定着部１６１が現在の温度から所定の温度となるまでのウォームアップに必要な時間を算出することによりウォームアップ完了時間を求める。
なお、バックアップ完了時間とウォームアップ完了時間の算出方法は上述した方法に限定されず、様々な方法を適用することができる。例えば、ウォームアップ完了時間を、前回のコピージョブあるいはプリントジョブが実行されてからの経過時間に基づいてウォームアップ完了時間を予測するようにしてもよい。
【０１１１】
次に、制御部１１１は、算出したバックアップ完了時間とウォームアップ完了時間とを比較し、バックアップ完了時間がウォームアップ完了時間よりも長いか否かを判定する（ステップＳ９０５）。制御部１１１は、バックアップ完了時間がウォームアップ完了時間よりも長いと判定したときは（ステップＳ９０５：Ｙ）、画像形成装置１０の状態を、上述した省電力モード３に移行する処理を行った後（ステップＳ９０６）、この処理を終了する。一方、制御部１１１は、バックアップ完了時間がウォームアップ完了時間よりも長いと判定しないとき、すなわち、ウォームアップ完了時間がバックアップ完了時間以上であると判定したときは（ステップＳ９０５：Ｎ）、ステップＳ９０６の処理を実行することなく、この処理を終了する。ここで、バックアップの実行に伴って画像形成部１６の電源の供給を停止すると、その間、定着部１６１の温度は低下する。そして、バックアップが完了し、上述のようにして予約されたジョブを実行する際には改めて定着部１６のウォームアップが必要となる。そのため、バックアップ完了直後は、定着部１６１は十分にウォームアップされていない。これにより、バックアップ完了からウォームアップの完了までの間は、画像形成を行うことができないので、待ち時間が発生し、生産性の低下を招くこととなる。そこで、本実施の形態では、ウォームアップ完了時間がバックアップ完了時間以上である場合には、省電力モードに移行させず、バックアップ完了後、速やかに予約ジョブの実行を可能にして、消費電力の抑制を図りつつ、生産性の低下を抑制するようにしている。
【０１１２】
また、制御部１１１は、ステップＳ９０３において、ジョブキューにコピージョブ又はプリントジョブが登録されていると判定しないときは（ステップＳ９０３：Ｎ）、画像形成部１６の稼働を維持しておく必要がないので、ステップＳ９０６の処理に移行する。
【０１１３】
一方、制御部１１１は、ステップＳ９０２において、画像形成装置１０の制御状態が省電力モードであると判定したときは（ステップＳ９０２：Ｙ）、ジョブキューにコピージョブ又はプリントジョブが登録されているか否かを判定する（ステップＳ９０７）。
【０１１４】
そして、制御部１１１は、ジョブキューにコピージョブ又はプリントジョブが登録されていると判定したときは（ステップＳ９０７：Ｙ）、バックアップ完了時間とウォームアップ完了時間とを、上述したようにして、それぞれ算出する（ステップＳ９０８）。
【０１１５】
そして、制御部１１１は、算出されたバックアップ完了時間とウォームアップ完了時間とを比較し、バックアップ完了時間がウォームアップ完了時間よりも短いか否かを判定する（ステップＳ９０９）。制御部１１１は、バックアップ完了時間がウォームアップ完了時間よりも短いと判定したときは（ステップＳ９０９：Ｙ）、画像形成部１６の電源をＯＮしてウォームアップを開始する（ステップＳ９１０）。
近年、ＨＤＤの容量が大容量化しており、バックアップにかかる時間は大きくなっている。そのため、バックアップ中は、定着部などの大量の電力を消費する装置の電力の供給を停止させることが好ましい。しかしながら、このような装置は、長時間のバックアップが完了すると、装置の温度が相当低下するため、これを十分な温度にするために、再度ウォームアップが必要となる。このウォームアップにかかる時間は、特にプロダクションプリントに用いる画像形成装置などにおいては、相当の時間となっており、その間は作業を待たなくてはならない。これに対し、本実施の形態では、バックアップ完了時間がウォームアップ完了時間よりも短くなったときにウォームアップを開始することで、バックアップが完了したときに定着部１６１が十分に加熱され、速やかに画像形成を行うことができるようになるので、消費電力の抑制を図りつつ、生産性の低下を抑制することができるようになる。
【０１１６】
また、制御部１１１は、ステップＳ９０１において、バックアップフラグがセットされたと判定しないとき（ステップＳ９０１：Ｎ）、ステップＳ９０７において、ジョブキューにコピージョブ又はプリントジョブが登録されたと判定しないとき（ステップＳ９０７：Ｎ）及びステップＳ９０９において、バックアップ完了時間がウォームアップ完了時間よりも短いと判定しないとき（ステップＳ９０９）は、いずれも、他の処理を実行することなく、この処理を終了する。
【０１１７】
以上説明したように、本発明の実施の形態によれば、ＨＤＤ１１８は各種情報を記憶する。そして、制御部１１１は、ジョブを受け付け、該受け付けたジョブを実行する。そして、制御部１１１は、ＨＤＤ１１８に記憶されている情報を外部記憶装置４０又はＰＣ３０に記憶させるバックアップを行う。そして、制御部１１１は、バックアップの実行中にジョブを受け付けたとき、ジョブの実行を留保し、バックアップの終了後に留保したジョブを実行する制御を行う。その結果、バックアップとジョブの実行とを並行させないようにして、留保されたジョブをバックアップ終了後に速やかに行わせることが可能となり、バックアップ時におけるトラブルの発生を防止するとともに、実行が抑制されるジョブの実行を速やかに行って生産性を高めることができる。
【０１１８】
また、本発明の実施の形態によれば、制御部１１１は、バックアップの実行中に、画像形成部１６によって用紙に画像を形成するジョブを受け付けたときに、該ジョブの実行を留保する。その結果、バックアップを行うことによる処理負荷の増大によって画像形成が間に合わなくなってエラーが生じるのを防止することができる。
【０１１９】
また、本発明の実施の形態によれば、制御部１１１は、ジョブの実行が留保されたときに、その旨の情報を出力する。その結果、ユーザはジョブの実行が留保されていることを認識できるので、その間、他の作業を行う等が可能となり、作業効率の向上が図れるようになる。
【０１２０】
また、本発明の実施の形態によれば、制御部１１１は、画像読取部１２によって読み取った原稿を所定のファイルデータに変換するスキャンジョブを実行する。そして、制御部１１１は、バックアップの実行中にスキャンジョブを受け付けたとき、該スキャンジョブを留保することなく実行する。その結果、バックアップを行うことによって処理負荷が増大してもトラブルの生じにくいジョブについては留保することなく実行することにより、生産性を高めることができる。
【０１２１】
また、本発明の実施の形態によれば、制御部１１１は、受け付けたジョブのジョブデータを、ＨＤＤ１１８に記憶する情報としてＨＤＤ１１８への保存を行う。そして、制御部１１１は、所定のアクセス要求に応じて保存されたジョブデータへのアクセスを可能とする。そして、制御部１１１は、バックアップの実行中は、該バックアップの対象であるジョブデータへのアクセスを禁止する。その結果、バックアップの対象となったジョブデータについて、バックアップの前後でデータの整合性が取れなくなって処理ができなくなるようなトラブルを防止することができる。
【０１２２】
また、本発明の実施の形態によれば、制御部１１１は、ＨＤＤ１１８に記憶された情報からバックアップの対象とする情報を選択可能とし、該選択した情報を外部記憶装置４０又はＰＣ３０に記憶させる。そして、制御部１１１は、バックアップの実行中において、保存されたジョブデータのうち、バックアップの対象として選択されなかったジョブデータへのアクセスを許可する。その結果、必要な分だけバックアップする部分バックアップを行う場合、バックアップの対象でないジョブデータについては、アクセスを可能にして編集等を行わせることができ、生産性の向上を図ることができる。
【０１２３】
また、本発明の実施の形態によれば、制御部１１１は、定着部１６１を機能させる稼動状態から機能を停止させる機能停止状態に移行させる制御を行う。そして制御部１１１は、バックアップ中でかつ定着部１６１が機能停止状態であって、ジョブの実行が留保されているときに、ウォームアップの要否を判定する。そして、制御部１１１は、ウォームアップが必要と判定したときには、定着部１６１のウォームアップを開始させる。その結果、バックアップの終了後、速やかに留保されているジョブを実行させることができるようになり、生産性の向上を図ることができる。
【０１２４】
また、本発明の実施の形態によれば、制御部１１１は、定着部１６１のウォームアップが完了するまでのウォームアップ完了時間と、バックアップが完了するまでのバックアップ完了時間を算出する。そして、制御部１１１は、バックアップ完了時間とウォームアップ完了時間との差に基づいてウォームアップの要否を判定する。その結果、ウォームアップの要否を判定することができ、処理効率が向上する。
【０１２５】
また、本発明の実施の形態によれば、制御部１１１は、バックアップ中でかつ定着部１６１が稼働状態であって、ジョブの実行が留保されているときに、バックアップ完了時間とウォームアップ完了時間との差を判定する。そして、制御部１１１は、ウォームアップ完了時間よりもバックアップ完了時間の方が長いと判定したときは、定着部１６１を稼働状態から機能停止状態に移行させる。そして、制御部１１１は、ウォームアップ完了時間よりもバックアップ完了時間の方が短いと判定したときは、定着部１６１をバックアップが完了するまで稼働状態を維持する。その結果、バックアップ完了後、速やかにジョブを実行させることが可能となり、消費電力の抑制を図りつつ、生産性の低下を抑制できる。
【０１２６】
また、本発明の実施の形態によれば、制御部１１１は、所定のバックアップ開始要求に応じてバックアップを開始する。そして、制御部１１１は、ジョブの実行中において、バックアップの開始の要求を受け付けたとき、実行中のジョブがコピージョブ又はプリントジョブであるか否かを判定する。そして、制御部１１１は、判定したジョブがコピージョブ又はプリントジョブであるときは、バックアップを開始せず、判定したジョブがコピージョブ又はプリントジョブでないときは、実行中のジョブに並行してバックアップを開始する。その結果、ジョブの実行中において、バックアップを行うことによって処理負荷が増大してもトラブルの生じにくい場合には、バックアップを速やかに実行することにより、生産性を高めることができる。
【０１２７】
また、本発明の実施の形態によれば、制御部１１１は、実行中のジョブがコピージョブ又はプリントジョブであるか否かの判定結果、コピージョブ又はプリントジョブであると判定したときは、実行中のジョブが完了した後にバックアップを開始する。その結果、実行中のジョブが完了した後に、バックアップを速やかに行うことができるので、生産性の低下を抑制できる。
【０１２８】
また、本発明の実施の形態によれば、制御部１１１は、実行中のジョブが完了した後、制御状態を省電力モードに移行し、省電力モードにおいてバックアップを行う。その結果、実行中のジョブが完了した後、バックアップ中において必要のない電力の消費を抑制することができる。
【０１２９】
なお、本発明の実施の形態における記述は、本発明に係る画像形成装置の一例であり、これに限定されるものではない。画像形成装置を構成する各機能部の細部構成及び細部動作に関しても適宜変更可能である。
【０１３０】
また、本実施の形態では、ジョブが予約されたときに、その旨の情報をＰＣ３０等のホスト装置に出力するようにしたが、そのような情報を出力しないようにしてもよい。
【０１３１】
また、本実施の形態では、バックアップの対象となったジョブデータへのアクセスを禁止するようにしたが、バックアップの対象となっていないジョブデータへのアクセスについても禁止するようにしてもよい。
【０１３２】
また、本実施の形態では、データの一部をバックアップ可能に構成したが、全てのデータのバックアップのみ行う構成としてもよい。
【０１３３】
また、本実施の形態では、バックアップ完了時間及び定着部のウォームアップが完了するまでのウォームアップ完了時間に基づいてウォームアップを開始させるか否か、あるいは、通常モードから省電力モードに移行するか否かを決定するようにしたが、ウォームアップ完了時間については、他の装置のウォームアップが完了するまでの時間であってもよい。例えば、製本するために接着剤を用紙に塗布する塗布部を備えたフィニッシャが画像形成装置に接続される場合、ウォームアップが必要な塗布部のウォームアップが完了するまでの時間であってもよい。
また、バックアップが完了する以前にウォームアップを開始しない構成としてもよい。
また、バックアップを開始した後、ジョブの予約の有無にかかわらず、省電力モードに移行するようにしてもよい。
【０１３４】
また、本実施の形態では、ジョブの実行中においてバックアップ開始要求があったときは、コピージョブあるいはプリントジョブである場合には、バックアップの開始を実行中のジョブの終了まで留保し、スキャンジョブやジョブ保存の場合には、バックアップの開始を留保せず、実行中のジョブに並行してバックアップを行うようにしたが、スキャンジョブやジョブ保存の実行中においてもバックアップの開始を留保するようにしてもよい。
また、バックアップの開始を留保せず、バックアップの実行をキャンセルするようにしてもよい。
【０１３５】
また、本実施の形態では、バックアップ中において、操作部及びタッチパネルによる操作を可能にしたが、バックアップ中は、ジョブの受け付けが可能であれば、操作部及びタッチパネルによる操作ができないようにしてもよい。また、バックアップ中は、操作部及びタッチパネルのうちの何れかのみ操作可能にしてもよい。
【０１３６】
また、本実施の形態では、バックアップ中において、所定時間の操作がないときに、操作部及びタッチパネルの機能を停止させるようにしたが、機能を停止させないようにしてもよい。
【０１３７】
また、本実施の形態では、通常モードから省電力モードに移行するとき、バックアップの実行の開始に伴う場合には、表示部を稼働させた状態にし、バックアップの実行の開始に伴わない場合には、表示部の稼働を停止させるようにしたが、バックアップの実行の開始に伴うか否かに拘わらず、表示部の稼働を停止させるようにしてもよい。
【０１３８】
また、本実施の形態では、バックアップの開始及び所定時間の操作がないときに、通常モードから省電力モードに移行するようにしたが、バックアップの開始に伴うときにのみ通常モードから省電力モードに移行するようにしてもよい。また、ユーザの操作に応じて省電力モードに移行するようにしてもよい。また、タイマ設定を行い、所定の時間となったときに省電力モードに移行するようにしてもよい。
【０１３９】
また、本実施の形態では、通常省電力モード又はバックアップ省電力モードにおいて、所定の復帰操作が行われたときに、通常モード又はバックアップウェイクモードに移行するようにしたが、他の態様によりモードの移行が行われるようにしてもよく、例えば、タイマ設定を行い、所定時間となったときにモードの移行が行われるようにしてもよい。
【０１４０】
また、本実施の形態では、バックアップ中において、コピージョブ及びプリントジョブの実行を留保し、バックアップ終了後に実行するようにしたが、スキャンジョブやジョブ保存についても、バックアップ中においては、その実行を留保するようにしてもよい。
【０１４１】
また、外部記憶装置等からＨＤＤ等の不揮発メモリにリストアするデータについてもバックアップと同様に、外部記憶装置等に記憶された全てのデータをリストアするようにしてもよいし、一部のデータをリストアするようにしてもよい。また、一部のデータをリストアする場合には、ユーザによって選択可能に構成してもよい。
【０１４２】
以上に掲げた各変形例については、リストア中においても同様にして構成することができることは勿論である。
【０１４３】
また、本実施の形態では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【符号の説明】
【０１４４】
１００  メンテナンスシステム
１０  画像形成装置
１１  本体部
１２  画像読取部
１６  画像形成部
１６１  定着部
１１１  制御部
１１８  ＨＤＤ
３０  ＰＣ
４０  外部記憶装置
【図１】
2011197495.tif 000003
【図２】
2011197495.tif 000004
【図３】
2011197495.tif 000005
【図４】
2011197495.tif 000006
【図５】
2011197495.tif 000007
【図６】
2011197495.tif 000008
【図７】
2011197495.tif 000009
【図８】
2011197495.tif 000010
【図９】
2011197495.tif 000011
【図１０】
2011197495.tif 000012
【図１１】
2011197495.tif 000013
【図１２】
2011197495.tif 000014
【図１３】
2011197495.tif 000015
【図１４】
2011197495.tif 000016
【図１５】
2011197495.tif 000017
【図１６】
2011197495.tif 000018
【図１７】
2011197495.tif 000019
【図１８】
2011197495.tif 000020
【図１９】
2011197495.tif 000021
【図２０】
2011197495.tif 000022
【図２１】
2011197495.tif 000023
【図２２】
2011197495.tif 000024
【図２３】
2011197495.tif 000025
【図２４】
2011197495.tif 000026